(57)【要約】【課題】冷凍食品をラッピングすることなく、また熱い容器から熱い食品を食器に移す必要もなく、さらに、漏れる液体で食器を汚すことなく綺麗に盛りつけして調理する。【解決手段】包装食品は、冷凍食品１を食品包装容器２の収納部３に収納している。食品包装容器２は、プラスチックシートを成形したものである。食品包装容器２は、収納部３の開口縁に、または収納部３の外側に、同一平面に位置するフランジ部６を設けている。このフランジ部６の表面には、フランジ部６に沿う閉鎖凸条１４を突出して設けている。食品包装容器２は、収納部３に食品が収納されると共に、この収納部３には、収納している食品がフランジ部６の閉鎖凸条１４の突出縁を含む面から突出しないように食品を収納している。さらに、包装食品は、収納部３に食品を収納している食品包装容器２を、開封できる外袋９に収納している。【選択図】図１２
2005328731.tif 000002
【特許請求の範囲】
【請求項１】
冷凍食品(1)を食品包装容器(2)の収納部(3)に収納している包装食品であって、
食品包装容器(2)がプラスチックシートを成形したもので、この食品包装容器(2)は、収納部(3)の開口縁に、または収納部(3)の外側に、同一平面に位置するフランジ部(6)を設けており、このフランジ部(6)の表面にはフランジ部(6)に沿う閉鎖凸条(14)を突出して設けており、
収納部(3)には食品が収納されると共に、収納部(3)は、収納している食品がフランジ部(6)の閉鎖凸条(14)の突出縁を含む面から突出しないように食品を収納しており、
さらにまた、収納部(3)に食品を収納している食品包装容器(2)を開封できる外袋(9)に収納しており、
外袋(9)から食品包装容器(2)が取り出されて、収納部(3)に食品を収納している食品包装容器(2)が、フランジ部(6)の閉鎖凸条(14)を食器(10)の上面に接触させる状態で食器(10)の上に載せられ、電子レンジで食品が加熱され、さらに、食品包装容器(2)が食器(10)から除去されて、食品が食器(10)に盛りつけされる状態で調理されるようにしてなる包装食品。
【請求項２】
冷凍食品(1)を食品包装容器(2)の収納部(3)に収納している包装食品であって、
食品包装容器(2)がプラスチックシートを成形したもので、この食品包装容器(2)は、収納部(3)の開口縁に、または収納部(3)の外側に、同一平面に位置するフランジ部(6)を設けており、このフランジ部(6)の表面にはフランジ部(6)に沿う閉鎖凸条(14)を突出して設けており、
収納部(3)には食品が収納されると共に、収納部(3)は、収納している食品がフランジ部(6)の閉鎖凸条(14)の突出縁を含む面から突出しないように食品を収納しており、
さらにまた、フランジ部(6)の閉鎖凸条(14)に剥離できるように蓋シール(8)を連結して、蓋シール(8)で収納部(3)の開口部(4)を閉塞しており、
蓋シール(8)が除去されて、収納部(3)に食品を収納している食品包装容器(2)が、フランジ部(6)の閉鎖凸条(14)を食器(10)の上面に接触させる状態で食器(10)の上に載せられ、電子レンジで食品が加熱され、さらに、食品包装容器(2)が食器(10)から除去されて、食品が食器(10)に盛りつけされる状態で調理されるようにしてなる包装食品。
【請求項３】
食品包装容器(2)が、フランジ部(6)に設けている閉鎖凸条(14)の一部に排気凹部(15)を設けており、食品包装容器(2)が、フランジ部(6)の閉鎖凸条(14)を食器(10)の上面に接触させる状態で食器(10)の上に載せられて食品を電子レンジで加熱する状態で、収納部(3)の内部のガスを排気凹部(15)から収納部(3)の外部に排出するようにしてなる請求項１又は２に記載される包装食品。
【請求項４】
冷凍食品(1)が、食べるときに上面として食器(10)に盛り付けされる特定上面(1A)を有し、この特定上面(1A)を収納部(3)の底面(7)に向けて、冷凍食品(1)を収納部(3)に収納しており、特定上面(1A)を上向きとして食品が食器(10)に盛り付けされる状態で調理されるようにしてなる請求項１又は２に記載される包装食品。
【請求項５】
食品包装容器(2)が複数の収納部(3)を有し、複数の収納部(3)に、異なる種類の冷凍食品(1)を収納してなる請求項１又は２に記載される包装食品。
【請求項６】
食品包装容器(2)が、収納部(3)の底部に、収納部(3)の底面(7)よりも小さい開口面積の凹部(12)を設けて、凹部(12)に食品にかける冷凍タレ(11)を収納しており、タレが食品にかけられて食品が食器(10)に盛りつけされる状態で調理されるようにしてなる請求項１又は２に記載される包装食品。
【請求項７】
食品包装容器(2)が、収納している食品を外部から見ることができる透光性を有するプラスチックシートである請求項１又は２に記載される包装食品。
【請求項８】
食品包装容器(2)の収納部(3)に収納している冷凍食品(1)が、ハンバーグ、シュウマイ、焼鳥、ピザ、ギョウザ、オムライス、おでん、惣菜、焼きそば、焼き飯、ごはんのいずれかである請求項１又は２に記載される包装食品。
【請求項９】
プラスチックシートでもって、収納部(3)を有すると共に、収納部(3)の開口縁に、又は収納部(3)の外側に、同一平面に位置するフランジ部(6)を有し、かつフランジ部(6)の表面にはフランジ部(6)に沿う閉鎖凸条(14)を突出するように設け、さらに、収納部(3)を、ここに入れる食品がフランジ部(6)の閉鎖凸条(14)の突出縁を含む面から突出しないように収納できる深さに食品包装容器(2)を成形する成形工程と、
食品包装容器(2)の収納部(3)に、フランジ部(6)の閉鎖凸条(14)の突出縁を含む面から突出しない状態で食品を入れる収納工程と、
食品を冷凍する冷凍工程と、
収納部(3)に食品を収納している食品包装容器(2)を外袋(9)に入れる閉塞工程と、
外袋(9)から食品包装容器(2)が取り出され、収納部(3)に冷凍された食品を入れる状態で、フランジ部(6)の閉鎖凸条(14)を食器(10)の上面に接触させる状態で食品包装容器(2)が食器(10)の上面に載せられて、収納部(3)の開口部を食器(10)で閉鎖する盛り付け工程と、
食品包装容器(2)を載せている食器(10)が電子レンジに入れられて、閉鎖されるが密閉されない収納部(3)に食品を入れる状態で、電子レンジで食品が加熱される加熱工程と、
食品が加熱された後に、食品包装容器(2)が食器(10)から除去されて、収納部(3)に収納されていた食品が、食器(10)に盛りつけされる状態で調理される食品包装容器(2)の除去工程とからなる食品の包装調理方法。
【請求項１０】
プラスチックシートでもって、収納部(3)を有すると共に、収納部(3)の開口縁に、又は収納部(3)の外側に、同一平面に位置するフランジ部(6)を有し、かつフランジ部(6)の表面にはフランジ部(6)に沿う閉鎖凸条(14)を突出するように設け、さらに、収納部(3)を、ここに入れる食品がフランジ部(6)の閉鎖凸条(14)の突出縁を含む面から突出しないように収納できる深さに食品包装容器(2)を成形する成形工程と、
食品包装容器(2)の収納部(3)に、フランジ部(6)の閉鎖凸条(14)の突出縁を含む面から突出しない状態で食品を入れる収納工程と、
食品を冷凍する冷凍工程と、
食品包装容器(2)に蓋シール(8)を連結して、蓋シール(8)で収納部(3)の開口部(4)を閉塞する閉塞工程と、
食品包装容器(2)から蓋シール(8)が剥離され、収納部(3)に冷凍された食品を入れる状態で、フランジ部(6)の閉鎖凸条(14)を食器(10)の上面に接触させる状態で食品包装容器(2)が食器(10)の上面に載せられて、収納部(3)の開口部を食器(10)で閉鎖する盛り付け工程と、
食品包装容器(2)を載せている食器(10)が電子レンジに入れられて、閉鎖されるが密閉されない収納部(3)に食品を入れる状態で、電子レンジで食品が加熱される加熱工程と、
食品が加熱された後に、食品包装容器(2)が食器(10)から除去されて、収納部(3)に収納されていた食品が、食器(10)に盛りつけされる状態で調理される食品包装容器(2)の除去工程とからなる食品の包装調理方法。
【請求項１１】
成形工程において、食品包装容器(2)のフランジ部(6)に設けている閉鎖凸条(14)の一部に排気凹部(15)を設け、
加熱工程において、収納部(3)の内部で発生するガスを排気凹部(15)から収納部(3)の外部に排出する請求項９又は１０に記載される食品の包装調理方法。
【請求項１２】
収納工程において、食べるときに上面として食器(10)に盛り付けされる特定上面(1A)のある食品を、特定上面(1A)が収納部(3)の底面(7)を向く姿勢で、収納部(3)に収納する請求項９又は１０に記載される食品の包装調理方法。
【請求項１３】
成形工程において、食品包装容器(2)に複数の収納部(3)を成形し、
収納工程において、食品包装容器(2)の複数の収納部(3)に、異なる種類の食品を収納する請求項９又は１０に記載される食品の包装調理方法。
【請求項１４】
成形工程において、収納部(3)の底部に、収納部(3)の底面(7)よりも小さい開口面積の凹部(12)のある食品包装容器(2)を成形し、
収納工程において、凹部(12)に食品にかけるタレを収納し、
加熱工程において、タレと食品を加熱して、タレを食品にかける請求項９又は１０に記載される食品の包装調理方法。
【請求項１５】
収納工程において、食品包装容器(2)の収納部(3)に、ハンバーグ、シュウマイ、焼鳥、ピザ、ギョウザ、オムライス、おでん、惣菜、焼きそば、焼き飯、ごはんのいずれかからなる食品を収納する請求項９又は１０に記載される食品の包装調理方法。
【発明の詳細な説明】
【技術分野】
【０００１】
本発明は、冷凍食品を食器に盛り付けして電子レンジで加熱して調理できる包装食品と食品の包装調理方法に関する。
【背景技術】
【０００２】
冷凍食品は、プラスチック製の包装容器に入れて販売されている。この食品包装容器は、プラスチックシートを真空成形または圧空成形等して製造される。消費者は、食品包装容器に入れた状態で冷凍食品を冷凍して保存する。食べるときは、食品包装容器から冷凍食品を取り出し、解凍して加熱する等の調理をする。冷凍食品は、電子レンジで速やかに解凍して加熱できる。電子レンジで食品を解凍、加熱できるように、冷凍食品を入れた状態で電子レンジで解凍、加熱できる食品包装容器は開発されている（特許文献１及び２参照）。
【特許文献１】特開平１１−９１８３４号公報
【特許文献２】特開平９−２０７９７１号公報
【発明の開示】
【発明が解決しようとする課題】
【０００３】
特許文献１に記載される食品包装容器は、うどん等の食品を入れて電子レンジで加熱して調理する。さらに、この食品包装容器は、ゼリー状のうどんスープを入れる中皿を設けている。食品包装容器が電子レンジで加熱されると、ゼリー状のスープが溶けてシャワー状に容器の内部に落下してうどんに散水される。したがって、この食品包装容器は、電子レンジでもって、スープに入ったうどんを簡単に調理できる。
【０００４】
特許文献２に記載される食品包装容器は、開口部にフランジを設けて、フランジ面に蓋をヒートシールして、開口部を閉塞している。蓋のヒートシールには、蒸気の排出口を設けている。この食品包装容器は、食品を入れて電子レンジで加熱すると、蒸気の排出口から蒸気が噴出する。したがって、発生する蒸気の圧力で包装容器が破裂するのを防止できる。また、電子レンジで加熱するために、容器に蒸気を排出するための穴を開ける必要がなく、食品を容器に入れたままの状態で加熱できる。
【０００５】
これ等の公報に記載される食品包装容器は、食品を電子レンジで加熱して簡単に調理できる。ただ、加熱された食品を食器に入れて食べるには、食品を食品包装容器から食器に移す必要がある。このとき食品は加熱されて熱く、また食品包装容器も加熱されて熱くなっている。すなわち、熱い容器から熱い食品を取り出すので、簡単に食器に移すのが難しい。
【０００６】
また、食器に複数の食品を盛りつけするには、熱い容器から食品を取り出し、取り出した複数の食品を食器に盛りつけするのでさらに手間がかかる。とくに、熱い食品を食器に綺麗に盛りつけするのは、さらに手間がかかる。
【０００７】
この欠点は、食品を加熱する前に食品包装容器から取り出して食器に移し、食器に載せて電子レンジで加熱して解消できる。しかしながら、皿に食品を載せて電子レンジで加熱すると、食品の水分が失われて美味な状態で調理できない。この弊害を避けるために、食品をプラスチックフィルム等でラッピングして加熱すると、ラッピングにさらに手間がかかる。また、食品を加熱した後にラッピングを剥すと、フィルムの内面に食品が付着するので、ラッピングを外すときに、食器に盛りつけした食品の位置がずれて、綺麗な盛りつけにできなくなる。また、ラッピングを外すときに、内面に付着している食品の一部が剥がれて綺麗な状態で調理できない欠点もある。
【０００８】
本発明者は、このような欠点を解決することを目的に図１と図２に示す包装食品を開発した。これ等の図に示す包装食品は、冷凍食品１を食品包装容器２の収納部３に収納している。食品包装容器２は、収納部３の開口縁にフランジ部６を設けており、食品はフランジ部から突出しないように収納されている。この包装食品は、図３に示すように、収納部３に食品を収納する状態で、フランジ部６を食器１０の上面に接触させる状態で食器１０の上に載せられて、電子レンジで加熱される。すなわち、食品を食品包装容器２から取り出すことなく、食器１０の上で電子レンジで加熱される。食品が加熱された後、食品包装容器２を食器１０から除去して、加熱して調理された食品を食器１０に盛りつけする状態とする。
【０００９】
この包装食品は、食品を食品包装容器から取り出して食器に盛りつけすることなく、食品包装容器から取り出して電子レンジで加熱することなく、さらに加熱するときにプラスチックフィルム等でラッピングすることなく極めて便利に調理できる。しかしながら、食器の上に盛りつけして電子レンジで加熱するとき、フランジ部と食器の隙間から、加熱されて流れやすくなった液体が噴き出されて、食器の上面を汚す弊害が発生した。フランジ部と食器との間から液体が噴き出されるのは、収納部の開口部を食器で閉塞しているので、収納部の内圧が高くなり、この圧力が、加熱されて流れやすくなったタレ等の液体をフランジ部と食器との間から押し出すからである。
【００１０】
本発明はさらにこの欠点を解決することを目的として開発されたもので、本発明の重要な目的は、冷凍食品をラッピングすることなく、また熱い容器から熱い食品を食器に移す必要もなく、さらにまた、漏れる液体で食器を汚すことなく綺麗な食器に食品を盛りつけして調理できる包装食品と食品の包装調理方法を提供することにある。
【課題を解決するための手段】
【００１１】
本発明の請求項１の包装食品は、冷凍食品１を食品包装容器２の収納部３に収納している。食品包装容器２は、プラスチックシートを成形したものである。この食品包装容器２は、収納部３の開口縁に、または収納部３の外側に、同一平面に位置するフランジ部６を設けている。このフランジ部６の表面には、フランジ部６に沿う閉鎖凸条１４を突出して設けている。食品包装容器２は、収納部３に食品が収納されると共に、この収納部３には、収納している食品がフランジ部６の閉鎖凸条１４の突出縁を含む面から突出しないように食品を収納している。さらに、包装食品は、収納部３に食品を収納している食品包装容器２を、開封できる外袋９に収納している。この包装食品は、外袋９から食品包装容器２が取り出されて、収納部３に食品を収納している食品包装容器２が、フランジ部６の閉鎖凸条１４を食器１０の上面に接触させる状態で食器１０の上に載せられ、電子レンジで食品が加熱され、さらに、食品包装容器２が食器１０から除去されて食品が食器１０に盛りつけされる状態で調理される。
【００１２】
本発明の請求項２の包装食品は、冷凍食品１を食品包装容器２の収納部３に収納している。食品包装容器２は、プラスチックシートを成形したものである。この食品包装容器２は、収納部３の開口縁に、または収納部３の外側に、同一平面に位置するフランジ部６を設けている。このフランジ部６の表面には、フランジ部６に沿う閉鎖凸条１４を突出して設けている。食品包装容器２は、収納部３に食品が収納されると共に、この収納部３には、収納している食品がフランジ部６の閉鎖凸条１４の突出縁を含む面から突出しないように食品を収納している。さらに、包装食品は、食品包装容器２に、剥離できるように蓋シール８を連結して、蓋シール８で収納部３の開口部４を閉塞している。この包装食品は、食品包装容器２から蓋シール８が剥離されて、収納部３に食品を収納している食品包装容器２が、フランジ部６の閉鎖凸条１４を食器１０の上面に接触させる状態で食器１０の上に載せられ、電子レンジで食品が加熱され、さらに、食品包装容器２が食器１０から除去されて、複数の食品が食器１０に盛りつけされる状態で調理される。
【００１３】
本発明の包装食品は、食品包装容器２のフランジ部６に設けている閉鎖凸条１４の一部に排気凹部１５を設けることができる。この食品包装容器２は、フランジ部６の閉鎖凸条１４を食器１０の上面に接触させる状態で食器１０の上に載せられて、食品を電子レンジで加熱する状態で、収納部３の内部のガスを排気凹部１５から収納部３の外部に排出する。
【００１４】
本発明の包装食品は、収納部３に収納する冷凍食品１を、食べるときに上面として食器１０に盛り付けされる特定上面１Ａを有する食品とし、この特定上面１Ａを収納部３の底面７に向けて、冷凍食品１を収納部３に収納することができる。この包装食品は、特定上面１Ａを上向きとして食品が食器１０に盛り付けされる状態で調理される。
【００１５】
さらに、本発明の包装食品は、食品包装容器２に複数の収納部３を設けて、複数の収納部４に、異なる種類の冷凍食品１を収納することができる。
【００１６】
さらに、本発明の包装食品は、食品包装容器２の収納部３の底部に、収納部３の底面７よりも小さい開口面積の凹部１２を設けて、凹部１２に食品にかける冷凍タレ１１を収納することができる。この包装食品は、タレが食品にかけられて、食品が食器１０に盛りつけされる状態で調理される。
【００１７】
さらに、本発明の包装食品は、食品包装容器２を、収納している食品を外部から見ることができる透光性を有するプラスチックシートとすることができる。
【００１８】
さらに、本発明の包装食品は、食品包装容器２の収納部３に、冷凍食品１として、ハンバーグ、シュウマイ、焼鳥、ピザ、ギョウザ、オムライス、おでん、惣菜、焼きそば、焼き飯、ごはん等を収納することができる。
【００１９】
本発明の請求項９の食品の包装調理方法は、プラスチックシートでもって、収納部３を有すると共に、収納部３の開口縁に、または収納部３の外側に、同一平面に位置するフランジ部６を有し、かつフランジ部６の表面にはフランジ部６に沿う閉鎖凸条１４を突出するように設け、さらに、収納部３を、ここに入れる食品がフランジ部６の閉鎖凸条１４の突出縁を含む面から突出しないように収納できる深さに食品包装容器２を成形する成形工程と、食品包装容器２の収納部３に、フランジ部６の閉鎖凸条１４の突出縁を含む面から突出しない状態で食品を入れる収納工程と、食品を冷凍する冷凍工程と、収納部３に食品を収納している食品包装容器２を外袋９に入れる閉塞工程と、外袋９から食品包装容器２が取り出され、収納部３に冷凍された食品を入れる状態で、フランジ部６の閉鎖凸条１４を食器１０の上面に接触させる状態で食品包装容器２が食器１０の上面に載せられて、収納部３の開口部を食器１０で閉鎖する盛り付け工程と、食品包装容器２を載せている食器１０が電子レンジに入れられて、閉鎖されるが密閉されない収納部３に食品を入れる状態で、電子レンジで食品が加熱される加熱工程と、食品が加熱された後に、食品包装容器２が食器１０から除去されて、収納部３に収納されていた食品が食器１０に盛り付けされる状態で調理される食品包装容器２の除去工程とからなる。
【００２０】
本発明の請求項１０の食品の包装調理方法は、プラスチックシートでもって、収納部３を有すると共に、収納部３の開口縁に、または収納部３の外側に、同一平面に位置するフランジ部６を有し、かつフランジ部６の表面にはフランジ部６に沿う閉鎖凸条１４を突出するように設け、さらに、収納部３を、ここに入れる食品がフランジ部６の閉鎖凸条１４の突出縁を含む面から突出しないように収納できる深さに食品包装容器２を成形する成形工程と、食品包装容器２の収納部３に、フランジ部６の閉鎖凸条１４の突出縁を含む面から突出しない状態で食品を入れる収納工程と、食品を冷凍する冷凍工程と、食品包装容器２に蓋シール８を連結して、蓋シール８で収納部３の開口部４を閉塞する閉塞工程と、食品包装容器２から蓋シール８が剥離され、収納部３に冷凍された食品を入れる状態で、フランジ部６の閉鎖凸条１４を食器１０の上面に接触させる状態で食品包装容器２が食器１０の上面に載せられて、収納部３の開口部を食器１０で閉鎖する盛り付け工程と、食品包装容器２を載せている食器１０が電子レンジに入れられて、閉鎖されるが密閉されない収納部３に食品を入れる状態で、電子レンジで食品が加熱される加熱工程と、食品が加熱された後に、食品包装容器２が食器１０から除去されて、収納部３に収納されていた食品が食器１０に盛りつけされる状態で調理される食品包装容器２の除去工程とからなる。
【００２１】
本発明の食品の包装調理方法は、成形工程において、食品包装容器２のフランジ部６に設けている閉鎖凸条１４の一部に排気凹部１５を設け、加熱工程において、収納部３の内部で発生するガスを排気凹部１５から収納部３の外部に排出することができる。
【００２２】
本発明の食品の包装調理方法は、収納工程において、食べるときに上面として食器１０に盛り付けされる特定上面１Ａのある食品を、特定上面１Ａが収納部３の底面７を向く姿勢で、収納部３に収納することができる。
【００２３】
さらに、本発明の食品の包装調理方法は、成形工程において、食品包装容器２に複数の収納部３を成形し、収納工程において、食品包装容器２の複数の収納部３に、異なる種類の食品を収納することができる。
【００２４】
さらに、本発明の食品の包装調理方法は、成形工程において、収納部３の底部に、収納部３の底面７よりも小さい開口面積の凹部１２のある食品包装容器２を成形し、収納工程において、凹部１２に食品にかけるタレを収納し、加熱工程で、タレと食品を加熱して、タレを食品にかけて調理することができる。
【００２５】
さらに、本発明の食品の包装調理方法は、収納工程において、食品包装容器２の収納部３に、ハンバーグ、シュウマイ、焼鳥、ピザ、ギョウザ、オムライス、おでん、惣菜、焼きそば、焼き飯、ごはん等の食品を収納することができる。
【発明の効果】
【００２６】
本発明の包装食品と食品の包装調理方法は、冷凍食品をラッピングすることなく、また熱い容器から熱い食品を食器に移す必要もなく、食器の上で食品を美味に加熱して食品を綺麗な配列に盛りつけして調理できる特長がある。とくに、本発明の包装食品と食品の包装調理方法は、漏れる液体で食器を汚すことなく、綺麗な食器に食品を盛りつけして調理できる特長がある。それは、本発明が、収納部を有する形状にプラスチックシートで食品包装容器を成形しており、この食品包装容器は、収納部の開口縁に、または収納部の外側に、同一平面に位置するフランジ部を設けると共に、フランジ部の表面にはフランジ部に沿う閉鎖凸条を突出して設けており、この収納部にフランジ部の閉鎖凸条の突出縁を含む面から突出しないように食品を収納し、この食品包装容器のフランジ部の閉鎖凸条の突出縁を食器の上面に接触させる状態で食器の上に載せて電子レンジで加熱調理した後、食品包装容器を除去して複数の食品を食器に盛り付けるようにしているからである。
【００２７】
このように、食器の上で閉鎖された収納部に食品を収納して、電子レンジで加熱すると、蒸気が収納部の内部に充満される状態で加熱され、また、余分の蒸気は食品包装容器と食器の間から排出される。このため、食品は、プラスチックフィルムでラッピングされたのと同じ状態で美味に調理され、調理された後、食品包装容器を食器から取り除くと、食品は食器に盛り付けされた状態となる。とくに、本発明の包装食品と食品の包装調理方法は、収納部を有する形状に食品包装容器を成形しているので、食品が収納された食品包装容器を食器の上に載せて電子レンジで加熱調理した後、食品包装容器を除去すると、食品が綺麗な配列に盛りつけされた状態に調理できる。したがって、本発明の包装食品と食品の包装調理方法は、冷凍食品をラッピングすることなく、また、熱い食品包装容器から熱い食器に移したり、複数の食品を食器の特定の位置に並べて盛りつけすることなく、食器の上で食品を美味に加熱しながら、簡単かつ容易に、しかも綺麗に複数の食品を食器に盛りつけでき、そのままの状態で食することができる。
【００２８】
さらに、本発明の請求項３の包装食品と請求項１１の包装調理方法は、食品包装容器のフランジ部に設けている閉鎖凸条の一部に排気凹部を設けているので、フランジ部の閉鎖凸条を食器の上面に接触させる状態で食品を加熱しながら、収納部の内部のガスを排気凹部から外部に排出して、収納部の内圧上昇を有効に防止できる。このように、収納部の内圧上昇を有効に防止できることは、収納部の内部の液体が外部に漏れるのを防止して、液体で食器を汚すのを有効に防止することに効果的である。
【００２９】
さらに、本発明の請求項５の包装食品と請求項１３の包装調理方法は、食品包装容器に複数の収納部を成形すると共に、複数の収納部に異なる種類の食品を収納しているので、他種類の食品を一緒に加熱して、種々の食品が多彩に盛り付けされた料理を、食器の上で美味な状態に調理できる特長がある。とくに、複数の食品を食品包装容器に設けられた複数の収納部によって、特定された配列で食器に盛りつけできる特長がある。
【００３０】
さらに、本発明の請求項６の包装食品と請求項１４の包装調理方法は、食品包装容器の収納部の底部に、収納部の底面よりも小さい開口面積の凹部を設けて、この凹部に食品にかけるタレを収納しているので、タレがかけられた食品を食器に盛り付けた状態で調理できる。とくに、食品にかけられたタレが、収納部の外部に漏れるのを有効に防止して食器が汚れるのを有効に防止できる。
【発明を実施するための最良の形態】
【００３１】
以下、本発明の実施例を図面に基づいて説明する。ただし、以下に示す実施例は、本発明の技術思想を具体化するための包装食品と包装調理方法を例示するものであって、本発明は包装食品と包装調理方法を以下に特定しない。
【００３２】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００３３】
図４ないし図８に示す包装食品は、冷凍食品１を食品包装容器２の収納部３に収納している。冷凍食品１は、ハンバーグ、シュウマイ、焼鳥、ピザ、ギョウザ、オムライス、おでん、惣菜、焼きそば、焼き飯、ごはん等である。冷凍食品１は、種々の食品を冷凍して固形状としている。
【００３４】
食品包装容器２は、熱可塑性のプラスチックシートを、真空成形または圧空成形等の方法で成形して製作される。食品包装容器２の成形に使用されるプラスチックシートは、食品の加熱温度において十分な強度を有する耐熱性プラスチックである。耐熱性のプラスチックシートとして、たとえば、ポリプロピレン、ポリエチレン、ポリスチレン等を使用する。さらに、プラスチックシートは、食品包装容器２に収納している食品を外部から見ることができる透光性を有する。このプラスチックシートで成形している食品包装容器２は、収納部３に入れている食品を外部から見ることができる。
【００３５】
食品包装容器２は、プラスチックシートを成形して製作される。食品包装容器２は、図４と図５に示すように、ひとつの食品を収納する収納部３を有し、あるいは、図６ないし図８に示すように、複数の食品を配列して収納できるように、複数の収納部３を有する。複数の収納部３のある食品包装容器２は、収納部３に食品を入れて複数の食品を食器１０に盛りつけして調理できる。したがって、複数の収納部３のある食品包装容器２は、各々の食品を食器１０の上に最も綺麗に配列できるように収納部３を設ける。たとえば、複数のシュウマイを各々の収納部３に収納する食品包装容器２は、図９と図１０に示すように、シュウマイを規則的に並べて食器１０に盛りつけできる配列で、収納部３を配置する。同じ食品を複数の収納部３に収納する食品包装容器２は、図９に示すように複数の収納部３を規則的に配列して、図１１に示すように各々の食品を綺麗に食器１０に並べて盛りつけできる。ただし、弁当のように異なる食品を収納部に収納する食品包装容器は、各々の食品を食べやすい配列に、あるいは綺麗に配置できる配列とするように、複数の収納部を配置する。
【００３６】
食品包装容器２は、図９と図１０に示すように、食器１０に伏せる姿勢で載せて、収納部３の開口部４を食器１０で閉鎖する。この状態で、収納部３の食品を閉鎖して電子レンジで調理するので、プラスチックフィルムでラッピングすることなく美味に調理できる。このことを実現するために、食品包装容器２は、収納部３の開口縁または外側に、同一平面に位置するフランジ部６を設けている。食品包装容器２は、図４と図５に示すように、収納部３の開口縁に沿って同一平面に位置するフランジ部６を設ける形状とし、あるいは、図６に示すように、複数の収納部３の開口縁に沿って同一平面に位置するフランジ部６を設ける形状とし、あるいは図７に示すように、複数の収納部３の開口縁の外側を閉ループ形状に連続して同一平面に位置するフランジ部６を設けている。さらに、食品包装容器２は、図８に示すように、同一平面に位置する平面状のフランジ部６の内側に複数の収納部３を設ける形状として、各々の収納部３の開口縁にフランジ部６を設け、また、複数の収納部３の開口縁の外側にもフランジ部６を設ける形状とすることができる。
【００３７】
フランジ部６は、表面に突出して閉鎖凸条１４を設けている。図４ないし図８に示す食品包装容器２は、フランジ部６を所定の幅のある幅広部６Ｂとして、この幅広部６Ｂに閉鎖凸条１４を設けている。閉鎖凸条１４はフランジ部６に沿って設けられている。閉鎖凸条１４は、図１０と図１２の横断面図に示すように、山形に突出して、突出縁を食器１０の表面に隙間なく接触できる形状としている。閉鎖凸条１４は、突出縁を所定の曲率半径、たとえば０．５〜５ｍｍ、好ましくは１〜３ｍｍで湾曲する形状として、図４、図７及び図８に示すように、ここに蓋シール８を確実に溶着することができる。蓋シール８を溶着しない閉鎖凸条１４は、先端の曲率半径を小さく、たとえば０．５ｍｍよりも小さくして、食器の表面に隙間なく接触できる。閉鎖凸条１４がフランジ部６から突出する突出高さは、約０．３ｍｍとする。ただし、閉鎖凸条の突出高さは、０．１〜５ｍｍ、好ましくは０．２〜３ｍｍ、さらに好ましくは０．２〜２ｍｍとする。ただし、閉鎖凸条の高さは、０．１ｍｍよりも低く、あるいは５ｍｍよりも高くすることもできる。
【００３８】
図１３の食品包装容器は、フランジ部６に設けている閉鎖凸条１４の一部に排気凹部１５を設けている。排気凹部１５は、液体を排出しない部分に設けられる。たとえば、図１４に示すように、ハンバーグ２３を加熱する食品包装容器２は、横幅を狭くしているので、食品包装容器２に入れて食器１０に載せて電子レンジで加熱して調理すると、図１５に示すように、ハンバーグ２３の横方向にタレ２４が流れる。したがって、この食品包装容器２は、液体であるタレ２４が流れる収納部３の横部分となる側部には排気凹部を設けないで、端部に排気凹部１５を設ける。端部に設けた排気凹部１５は、タレの収納部から離れているので、加熱して流れやすくなったタレ等の液体がこの部分に流下することがなく、ガスのみを排気して、収納部３の内圧上昇を少なくする。
【００３９】
食品包装容器は、必ずしも閉鎖凸条の一部に排気凹部を設ける必要はない。図示しないが、食品包装容器は、収納部の壁面や底面を貫通して排気孔を設けて、内部で発生するガスを排出できるからである。この食品包装容器は、フランジ部に沿って設ける閉鎖凸条を、収納部の開口部を連続して囲む閉ループ状とすることができる。
【００４０】
さらに食品包装容器２は、収納部３を、収納する食品がフランジ部６の閉鎖凸条１４の突出縁を含む面から突出しない深さに成形している。図４ないし図６と図８の食品包装容器２は、収納部３を食品の高さよりも深くして、食品をフランジ部６を含む面から突出しないように収納部３に収納できる。図７の食品包装容器２は、図１３に示すように、収納部３の深さよりも食品を高くして、フランジ部６の閉鎖凸条１４の突出縁を含む面から突出しないように収納できる。それは、複数の収納部３の外側に設けているフランジ部６の閉鎖凸条１４の突出縁を収納部３の開口縁よりも高くしているからである。この食品包装容器２は、収納部３の底面７からフランジ部６の閉鎖凸条１４の突出縁までの間隔を、収納部３に収納する食品の高さよりも大きくする。
【００４１】
食品包装容器２の収納部３を以上の形状に成形するのは、フランジ部６の閉鎖凸条１４の突出縁を食器１０の上面に接触させて、食器１０で収納部３の開口部４を閉鎖するためである。収納部３から食品が突出すると、フランジ部６の閉鎖凸条１４の突出縁を全周で食器１０の表面に接触できず、食器１０で収納部３を閉鎖できなくなる。食器１０でフランジ部６の閉鎖凸条１４の内側を閉鎖するのは、フィルムでラッピングはしないが、ラッピングしたのと同じように、閉鎖された状態で冷凍食品１を電子レンジで加熱して調理するためである。フランジ部６の閉鎖凸条１４の突出縁に食器１０の上面を接触させて収納部３を閉鎖するには、フランジ部６の閉鎖凸条１４が収納部３の開口部４の全周を連続的に囲む状態で食器１０の上面に接触させる必要がある。この状態でフランジ部６の閉鎖凸条１４の突出縁が食器１０の上面に接触しないと、フランジ部６の閉鎖凸条１４の突出縁と食器１０との間に隙間ができて、収納部３の開口部４を食器１０で閉鎖できなくなる。収納部３の開口部４を食器１０で閉鎖できないと、電子レンジで冷凍食品１を加熱するときに水蒸気が自由に漏れて、冷凍食品１をラッピング状態で加熱できなくなる。フランジ部６の閉鎖凸条１４の突出縁を含む面から冷凍食品１が突出しない包装食品は、フランジ部６の閉鎖凸条１４の突出縁が接触する食器１０の平面部で、収納部３の開口部４を確実に閉鎖できる。
【００４２】
さらに、図４ないし図８に示す食品包装容器２は、収納部３の底部に、収納部３の底面７よりも小さい開口面積の凹部１２を設けている。凹部１２には、冷凍食品１にかける冷凍タレ１１を入れる。タレは、冷凍して固形状に固化された状態で凹部１２に収納される。凹部１２の深さは、冷凍されたタレの高さよりも深い。この構造の食品包装容器２は、凹部１２に入れる冷凍されたタレと、収納部３に入れる食品を接触しないように分離できる。この構造によると、食品から分離している凹部１２のタレは、電子レンジで加熱して食品にかけられる。このため、タレを理想的な状態で食品にかけて、美味に食べることができる。
【００４３】
食品は、冷凍された状態で収納部３に入れられ、あるいは収納部３に入れて冷凍される。タレを凹部１２に入れる包装食品は、タレも、同じように、冷凍した状態で凹部１２に入れられ、あるいは凹部１２に入れて冷凍される。図の食品包装容器２は、凹部１２を収納部３よりも小さくしているので、凹部１２に冷凍されないタレを、収納部３に冷凍されない食品を入れて、タレと食品の両方を一緒に冷凍することができる。また、この状態で食品とタレを凍結すると、タレは凹部１２の底面１３に、食品は収納部３の底面７に氷結して付着される。
【００４４】
さらに、異なる複数のタレをかけて食べる食品、たとえば、食品の上にチーズをかけ、チーズの上にソースをかけて食べる食品は、図１６と図１７に示すように、収納部３の底部に、複数段に凹部１２を設ける食品包装容器２に入れる。これらの食品包装容器２は、収納部３の底部に、第１凹部１２Ａを設け、さらに第１凹部１２Ａの底部に第２凹部１２Ｂを設けている。第１凹部１２Ａは、収納部３の底面７よりも小さい開口面積とし、第２凹部１２Ｂは、第１凹部１２Ａの底面１３よりも小さい開口面積としている。さらに、第１凹部１２Ａは、ここに入れる第１冷凍タレ１１Ａの高さよりも深く、第２凹部１２Ｂは、ここに入れる第２冷凍タレ１１Ｂの高さよりも深く成形される。この食品包装容器２は、冷凍食品１と第１冷凍タレ１１Ａを分離し、第１冷凍タレ１１Ａと第２冷凍タレ１１Ｂも分離する。すなわち、食品包装容器２に入れている食品とタレをすべて分離して収納しており、電子レンジで加熱されて、第１冷凍タレ１１Ａが解凍されて食品にかけられ、さらに第１冷凍タレ１１Ａの上に第２冷凍タレ１１Ｂが解凍してかけられる。
【００４５】
さらに、たとえば焼鳥のように、特定の部分にのみタレをかける食品は、図１８と図１９に示すように、タレをかける部分にのみ凹部１２を設ける。図の食品包装容器２は、焼鳥を入れる収納部３を設け、この収納部３の鳥肉２０を入れる部分の底部にのみ凹部１２を設けている。焼鳥の串２１を入れる部分であって、手で掴む部分には、凹部を設けていない。この食品包装容器２は、開口部４を下にして、食器１０に載せて電子レンジで加熱すると、凹部１２のタレが鳥肉２０にかけられるが、串２１の手で掴む部分にはかからない状態で調理される。このため、タレのかかっていない串２１を掴んで焼鳥を食べることができる。焼鳥に限らず、特定の部分にのみタレをかけて食べる食品は、タレをかける部分にのみ凹部を設けて、この凹部に冷凍されたタレを収納する。さらに、異なる部分に異なるタレをかけて食べる食品は、異なるタレを入れる凹部を特定の部分に設け、ここに異なるタレを入れる。
【００４６】
さらに、これらの図に示す食品包装容器２は、焼鳥の串２１を入れる部分に位置する閉鎖凸条１４に排気凹部１５を設けている。この構造の食品包装容器２は、串２１を入れる部分の近傍に設けた排気凹部１５から収納部３内のガス等を排出できるので、解凍されて鳥肉にかけられたタレが閉鎖凸条１４まで流れても、このタレが内部の圧力で収納部３から外部に排出されて食器が汚れるのを有効に防止できる。このように、特定の部分にのみタレをかける食品包装容器２は、タレをかけない部分に位置する閉鎖凸条１４に排気凹部１５を設けて、この部分からガスを排出できる。
【００４７】
以上の包装食品は、食品包装容器２の収納部３の食品を冷凍した状態とし、凹部１２のタレを冷凍する状態として、あるいは食品とタレを冷凍しない状態で、食品包装容器２の開口部４を蓋シール８で閉塞し、あるいは食品包装容器２を外袋９に入れる。食品とタレが冷凍されない包装食品は、蓋シール８で開口部４を閉塞し、あるいは食品包装容器２を外袋９に入れた後に、食品とタレを冷凍する。
【００４８】
食べるときに上面として食器１０に盛り付けされる特定上面１Ａを有する冷凍食品１は、特定上面１Ａが収納部３の底面７に向く姿勢として収納部３に収納される。特定上面１Ａのある冷凍食品１は、たとえば、ピザ、オムライス、餃子、シュウマイ等である。これ等の食品は、食器１０に盛り付けするときに上面が決まっている。たとえば、ピザは、種々の具を載せている面を特定上面とし、またシュウマイは、皮を集めている側を特定上面とする。このように特定上面１Ａが決まっている食品は、特定上面１Ａを収納部３の底面７に向けて収納する。
【００４９】
この姿勢で収納される冷凍食品１は、従来の方向とは上下を逆向きにして収納部３に収納される。それは、従来の冷凍食品は、食品包装容器に入れて加熱し、加熱された食品を食品包装容器から取り出して食器に盛り付けするのに対し、本発明は食品包装容器２を上下反転して、すなわち開口部４を下向きにして食器１０の上に載せ、この状態で食品を電子レンジで加熱した後、食品包装容器２を食器１０から除き、食品をそのままの姿勢で食べるからである。冷凍食品は、必ずしも特定上面を決めて盛り付けされない。たとえば、ハンバーグ、焼鳥、おでん、惣菜、焼きそば、焼き飯、ごはん等は特定上面がない。したがって、これ等の冷凍食品は、方向を特定することなく収納部に収納できる。
【００５０】
包装食品は、食品包装容器２の複数の収納部３に、同じ種類の食品を収納することも、異なる種類の食品を収納することもできる。たとえば、図９ないし図１１に示す包装食品は、ひとつの食品包装容器２に複数のシュウマイ２２を収納している。この包装食品は、食品包装容器２を食器１０に載せた状態で加熱して、複数の収納部に収納された食品を一緒に加熱調理して、同じ食品を規則的に並べて食器１０に盛りつけできる。
【００５１】
さらに、図２０に示す包装食品は、複数の収納部３に異なる種類の食品を収納している。図に示す食品包装容器２は、４つの収納部３を成形しており、図において下側に位置する収納部３にメインとなる食品を、残りの３つの収納部３に付け合わせとなる食品を収納するようにしている。図の食品包装容器２は、メインの食品を収納する収納部３を、他の収納部３よりも大きく成形している。この包装食品は、たとえば、図２１に示すように、メインの食品をハンバーグ２３として、付け合わせとなる食品をポテト２５、ニンジン２６、いんげん２７としてハンバーグランチを実現できる。さらに、包装食品は、図示しないが、メインの食品をオムライスとして、付け合わせとなる食品をスパゲティー、コロッケ、ウインナー等として、お子様ランチとすることもできる。付け合わせの食品は、これら以外にも、キャベツ、ブロッコリー、ホウレンソウ、エンドウ、コーン等の野菜とし、あるいは、グラタン、唐揚げ等の食品とすることもできる。さらに、図２０に示す食品包装容器２は、メインの食品を収納する収納部３の底面に凹部１２を設けて、ハンバーグ２３にかけるタレ２４であるケチャップソースやデミグラスソースを収納できるようにしている。この凹部は、前述のように、第１凹部と第２凹部を設けて、２種類のタレを収納することもできる。ハンバーグにかける２種類のタレとして、たとえば、第１凹部にデミグラスソースを収納し、第２凹部にはチーズを収納することができる。
【００５２】
さらに、複数の収納部に異なる食品を収納する食品包装容器は、必ずしも、メインの食品と付け合わせの食品とに区別する必要はない。包装食品は、複数の収納部の大きさを等しくして、これらに異なる食品を収納することもできる。たとえば、包装商品は、各々の収納部に、シュウマイ、海老のチリソース、肉団子、焼き豚等を収納して中華弁当を実現することもできる。
【００５３】
以上のように、複数の収納部３に異なる種類の食品を収納する包装食品は、ひとつの食品包装容器２を食器１０に載せて加熱調理することによって、他種類の食品を一緒に加熱調理できる。このため、極めて簡単に、定食やランチのように、種々の食品が多彩に盛り付けされた料理を食器１０の上で調理できる。
【００５４】
図４、図７、図８、及び図１６ないし図１８に示す包装食品は、収納部３に食品を、凹部１２にタレを入れた食品包装容器２の開口部４を蓋シール８で閉塞している。開口部４を閉塞する蓋シール８は、収納部３のフランジ部６の閉鎖凸条１４の突出縁に剥離できるように連結される。図の食品包装容器２は、収納部３の開口縁や外側に設けているフランジ部６の閉鎖凸条１４の突出縁に蓋シール８を溶着して、剥離できるように固定している。蓋シール８は、熱可塑性のプラスチックフィルムである。
【００５５】
図５と図６の包装食品は、収納部３に食品を、凹部１２にタレを入れた食品包装容器２を外袋９に入れている。外袋９は、冷凍食品１が収納部３から出ないように食品包装容器２を包装している。
【００５６】
以上の包装食品は、以下の工程で製造され、消費者が電子レンジで加熱して盛り付けする。
(1)  成形工程
プラスチックシートを真空成形または圧空成形等して、収納部３のある食品包装容器２に成形する。図の食品包装容器２は、収納部３の開口縁または外側にフランジ部６を設けており、フランジ部６の表面には、フランジ部６に沿う閉鎖凸条１４を突出して設けている。図４、図５、図１６、図１８及び図１９の食品包装容器２は、ひとつの食品を盛りつけするように、ひとつの収納部３を設けており、図６ないし図８、図１７及び図２０の食品包装容器２は、複数の食品を縦横に並べて盛りつけするように、縦横に並べて収納部３を設けている。食品包装容器２の収納部３は、収納する冷凍食品１がフランジ部６の閉鎖凸条１４の突出縁を含む面から突出しない深さに成形される。さらに、収納部３の底部には、収納部３の底面７よりも小さい開口面積の凹部１２を設けている。タレをかけない食品は凹部１２を設ける必要がない。
(2)  収納工程
成形された食品包装容器２の収納部３に食品を、凹部１２のある食品包装容器２は凹部１２にタレを入れる。食べるときに上面として食器１０に盛り付けされる特定上面１Ａを有する食品は、この特定上面１Ａを収納部３の底面７に向けて収納部３に入れる。さらに、収納部３に入れられる食品は、フランジ部６の閉鎖凸条１４の突出縁を含む面から突出しないようにする。食品やタレは冷凍された状態で収納部３に入れられ、あるいは食品包装容器２の収納部３や凹部１２に入れてから冷凍される。収納部３に食品を、凹部１２にタレを入れて冷凍する場合、好ましくは、食品包装容器２の開口部４を閉塞する前、または外袋９に入れる前に冷凍する。ただし、開口部４を蓋シール８で閉塞し、あるいは食品包装容器２を外袋９に入れた後で食品とタレを冷凍することもできる。収納部３に入れられて冷凍される食品は、収納部３の底面７に氷結して付着され、凹部１２のタレは凹部１２の底面１３に氷結して付着される。氷結によらず氷結された食品やタレを結合材で収納部３の底面７と凹部１２の底面１３に付着することもできる。食品を収納部３の底面７に、タレを凹部１２の底面１３に付着している包装食品は、図１０と図１２に示すように、開口部４を下にして食器１０の上に載せるとき、食品とタレの重量でフランジ部６の閉鎖凸条１４の突出縁を食器１０の上面に隙間なく押圧できる。底に付着して食器１０の上に接触しない食品とタレの重量が、周壁５で支えられるからである。この状態で電子レンジで加熱される食品とタレは、理想的な閉鎖状態の収納部３で調理される。
【００５７】
(3)  閉塞工程
図５と図６に示すように、食品包装容器２を外袋９に入れて包装し、あるいは図４、図７、図８、及び図１６ないし図１８に示すように、食品包装容器２の開口部４の周縁に蓋シール８を連結して、蓋シール８で収納部３の開口部４を閉塞する。包装食品は、この状態で製造業者から販売業者に、さらに消費者に運ばれる。
【００５８】
(4)  盛り付け工程
包装食品を購入した消費者は、食品包装容器２を外袋９から取り出し、あるいは食品包装容器２から蓋シール８を剥離する。収納部３に冷凍された食品を、凹部１２に冷凍されたタレを入れる状態で、開口部４を下向きとする姿勢で食品包装容器２を食器１０の上面に載せる。この状態で、フランジ部６の閉鎖凸条１４の突出縁が食器１０の上面に接触して、収納部３の開口部４が食器１０の上面で閉鎖される。
(5)  加熱工程
食品包装容器２を載せている食器１０を電子レンジに入れ、閉鎖されるが密閉されない収納部３と凹部１２に冷凍された食品とタレを入れる状態として電子レンジで食品とタレを加熱する。加熱されたタレは解凍された食品にかけられる。この状態でタレと食品は電子レンジの電磁波で加熱して調理される。タレのない食品は、食品のみが加熱される。
【００５９】
(6)  除去工程
冷凍食品１が加熱して調理されると、食品包装容器２を食器１０から除去する。食品包装容器２が除去されると、食器１０の上には、タレがかけられた状態で、各々の食品が綺麗に盛り付けされて調理された状態となる。
【図面の簡単な説明】
【００６０】
【図１】本発明者が先に開発した包装食品の一例を示す断面図である。
【図２】本発明者が先に開発した包装食品の他の一例を示す断面図である。
【図３】本発明者が先に開発した包装食品の調理方法を示す断面図である。
【図４】本発明の一実施例にかかる包装食品の断面図である。
【図５】本発明の他の実施例にかかる包装食品の断面図である。
【図６】本発明の他の実施例にかかる包装食品の断面図である。
【図７】本発明の他の実施例にかかる包装食品の断面図である。
【図８】本発明の他の実施例にかかる包装食品の断面図である。
【図９】図８に示す包装食品の調理方法を示す斜視図である。
【図１０】図８に示す包装食品の調理方法を示す断面図である。
【図１１】図９に示す調理方法で調理された食品を示す斜視図である。
【図１２】図１と図２に示す包装食品の調理方法を示す断面図である。
【図１３】図７に示す包装食品の食品包装容器を示す斜視図である。
【図１４】食品包装容器の他の一例を示す斜視図である。
【図１５】図１４に示す食品包装容器で調理された食品を示す斜視図である。
【図１６】本発明の他の実施例にかかる包装食品の断面図である。
【図１７】本発明の他の実施例にかかる包装食品の断面図である。
【図１８】本発明の他の実施例にかかる包装食品の断面図である。
【図１９】図１８に示す包装食品の底面図である。
【図２０】本発明の他の実施例にかかる包装食品の調理方法を示す斜視図である。
【図２１】図２０に示す包装食品が調理された状態を示す斜視図である。
【符号の説明】
【００６１】
１…冷凍食品            １Ａ…特定上面
２…食品包装容器
３…収納部
４…開口部
５…周壁
６…フランジ部
７…底面
８…蓋シール
９…外袋
１０…食器
１１…冷凍タレ          １１Ａ…第１冷凍タレ    １１Ｂ…第２冷凍タレ
１２…凹部              １２Ａ…第１凹部        １２Ｂ…第２凹部
１３…底面
１４…閉鎖凸条
１５…排気凹部
２０…鳥肉
２１…串
２２…シュウマイ
２３…ハンバーグ
２４…タレ
２５…ポテト
２６…ニンジン
２７…いんげん
【図１】
2005328731.tif 000003
【図２】
2005328731.tif 000004
【図３】
2005328731.tif 000005
【図４】
2005328731.tif 000006
【図５】
2005328731.tif 000007
【図６】
2005328731.tif 000008
【図７】
2005328731.tif 000009
【図８】
2005328731.tif 000010
【図９】
2005328731.tif 000011
【図１０】
2005328731.tif 000012
【図１１】
2005328731.tif 000013
【図１２】
2005328731.tif 000014
【図１３】
2005328731.tif 000015
【図１４】
2005328731.tif 000016
【図１５】
2005328731.tif 000017
【図１６】
2005328731.tif 000018
【図１７】
2005328731.tif 000019
【図１８】
2005328731.tif 000020
【図１９】
2005328731.tif 000021
【図２０】
2005328731.tif 000022
【図２１】
2005328731.tif 000023